(57)【要約】【課題】折り済用紙と未折り用紙とを含む内容物を搬送した際に各用紙の搬送方向先端を揃えて先端飛び出しを抑制すること。【解決手段】折り済用紙ＰＡとなる用紙の用紙厚さ情報及び折り方情報と、折り済用紙ＰＡの搬送方向長さＬ１と、未折り用紙ＰＢの搬送方向長さＬ２と、記憶部５０に記憶される折り長さ調整条件とを照合し、折り済用紙ＰＡの仕様が折り長さ調整条件に示される条件と一致し、且つ折り済用紙ＰＡの搬送方向長さＬ１から未折り用紙ＰＢの搬送方向長さＬ２を差し引いた差分値が記憶部５０に記憶される後退見込み長さαに満たないときに、この差分値が後退見込み長さα以上となる位置で折りが施されるように突当手段１２の突当位置を可変する。【選択図】図２
2015222318.tif 000002
【特許請求の範囲】
【請求項１】
所定の折りが施された折り済用紙と、折りを施さない未折り用紙とで構成される内容物を重ねた状態で整合し搬送する用紙処理装置において、
前記折り済用紙となる用紙に所定の折りを施す折り手段と、前記用紙の折り位置を位置決めするときの一時的な待機経路となる規制搬送路に設けられ前記規制搬送路に搬送された前記用紙の搬送方向先端と突き当たって前記用紙に対する折り位置を位置決めする突当手段とを有する用紙折り部と、
前記未折り用紙を搬送する未折り用紙搬送部と、
前記用紙折り部で折りが施された前記折り済用紙の搬送方向後端と、前記未折り用紙搬送部から搬送された前記未折り用紙の搬送方向後端とを揃える異種用紙整合部と、
前記内容物を挟持搬送する搬送ローラ対を複数有し、前記異種用紙整合部で後端が整合された前記折り済用紙と前記未折り用紙とを重ねた状態で搬送し、前記折り済用紙が前記搬送ローラの表面に腹当たりさせて搬送する異種用紙搬送部と、
前記折り済用紙の折り方情報、用紙厚さ情報及び枚数情報から前記異種用紙搬送部での搬送で前記内容物の先端が揃うように前記折り済用紙の折り位置を可変するか否かを判断し、前記折り位置を可変すると判断したときは、前記折り済用紙の搬送方向長さが前記未折り用紙よりも所定長さ長くなるように前記突当手段の突当位置を可変する制御部と、
を備えたことを特徴とする用紙処理装置。
【発明の詳細な説明】
【技術分野】
【０００１】
本発明は、封筒に封入される内容物として所定の折りを施した折り済用紙と折りを施さない未折り用紙とを封筒フォームで包み込むように収容する収容部まで整合した状態で重ね搬送する用紙処理装置に関するものである。
【背景技術】
【０００２】
従来より、特定の顧客層に向けて郵送されるダイレクトメールのような封書を自動的に作製する封書作製装置が開発されている。この封書作製装置とは、例えば封筒フォームと内容物の用紙とに印刷を施し、封筒フォームに所定の折りを施して折り畳んで形成した封筒に印刷済みの内容物を封入封緘して封書を作製する装置であり、例えば下記特許文献１に開示される装置が知られている。
【先行技術文献】
【特許文献】
【０００３】
【特許文献１】特開２０１２−６６５０９号公報
【発明の概要】
【発明が解決しようとする課題】
【０００４】
ところで、所定の折りが施された用紙のように比較的厚い内容物ＰＡと、折りが施されないカードのように比較的薄い内容物ＰＢとを重ねた状態の内容物Ｐを複数の搬送ローラ対で挟持搬送すると、図７に示すように挟持搬送される途中で内容物Ｐの一部がローラ面に当たって内容物Ｐの先端がニップ位置からズレる、所謂「腹当り」が生じることがある。これにより、比較的薄い内容物ＰＢのみが先に送られて内容物Ｐの先端に整合ズレが生じる。
【０００５】
また、封書作製装置では、搬送経路の小型化のために、内容物Ｐの先端でなく後端を基準に揃えてから封筒フォームで内容物Ｐを包み込むように収容部で収容することがある。この場合、内容物ＰＡと、内容物ＰＢの長さが異なっていると、後端揃えにより内容物Ｐの先端が揃っていない状態で腹当りして先端ズレをより起こしやすくなる。このように、内容物Ｐが先端ズレを起こした状態で収容部に搬送されると、正しい位置で内容物Ｐを封入することができないため、このまま封緘処理を行うと正確な位置で封緘されず、封緘不良が生じて封書が不良品となる虞があった。
【０００６】
そこで、本発明は上記問題点に鑑みてなされたものであり、複数枚の用紙を搬送するとき（特に、厚さの異なる用紙を含むようなとき）に、用紙先端の飛び出しを抑制することのできる用紙処理装置を提供することを目的とするものである。
【課題を解決するための手段】
【０００７】
上記した目的を達成するため、請求項１記載の用紙処理装置は、所定の折りが施された折り済用紙と、折りを施さない未折り用紙とで構成される内容物を重ねた状態で整合し搬送する用紙処理装置において、
前記折り済用紙となる用紙に所定の折りを施す折り手段と、前記用紙の折り位置を位置決めするときの一時的な待機経路となる規制搬送路に設けられ前記規制搬送路に搬送された前記用紙の搬送方向先端と突き当たって前記用紙に対する折り位置を位置決めする突当手段とを有する用紙折り部と、
前記未折り用紙を搬送する未折り用紙搬送部と、
前記用紙折り部で折りが施された前記折り済用紙の搬送方向後端と、前記未折り用紙搬送部から搬送された前記未折り用紙の搬送方向後端とを揃える異種用紙整合部と、
前記内容物を挟持搬送する搬送ローラ対を複数有し、前記異種用紙整合部で後端が整合された前記折り済用紙と前記未折り用紙とを重ねた状態で搬送し、前記折り済用紙が前記搬送ローラの表面に腹当たりさせて搬送する異種用紙搬送部と、
前記折り済用紙の折り方情報、用紙厚さ情報及び枚数情報から前記異種用紙搬送部での搬送で前記内容物の先端が揃うように前記折り済用紙の折り位置を可変するか否かを判断し、前記折り位置を可変すると判断したときは、前記折り済用紙の搬送方向長さが前記未折り用紙よりも所定長さ長くなるように前記突当手段の突当位置を可変する制御部と、
を備えたことを特徴とする。
【発明の効果】
【０００８】
本発明の用紙処理装置によれば、折り済用紙の仕様に応じて適宜折り済用紙の搬送方向長さが未折り用紙よりも所定長さ長くなるように突当手段の突当位置を可変し、さらに折り済用紙の搬送方向後端と未折り用紙の搬送方向後端とを揃えた状態で重ね搬送するため、折り済用紙の搬送方向先端が異種用紙搬送部の搬送ローラの表面に腹当たりしながら徐々に後退して折り済用紙と未折り用紙の各先端が飛び出さずにほぼ揃った状態となり、内容物の搬送先となる収容部による封筒フォームの封入処理を正常に行うことができる。
【図面の簡単な説明】
【０００９】
【図１】本発明に係る用紙処理装置が搭載される封書作製装置の構成例を示す概略構成図である。
【図２】本装置の構成例を示す装置構成図である。
【図３】本装置の機能ブロック図である。
【図４】（ａ）〜（ｃ）は異種用紙整合部における整合処理動作例を示す図である。
【図５】（ａ）〜（ｃ）は異種用紙搬送部における内容物の搬送状態を示す図である。
【図６】折り長さ調整条件の一例をテーブル化した図である。
【図７】従来装置において内容物を搬送したときの動作例を示す図である。
【発明を実施するための形態】
【００１０】
以下、本発明を実施するための形態について、添付した図面を参照しながら詳細に説明する。また、この実施の形態によって本発明が限定されるものではなく、この形態に基づいて当業者等により考え得る実施可能な他の形態、実施例及び運用技術等は全て本発明の範疇に含まれるものとする。
【００１１】
［封書作製装置について］
まず、本発明に係る用紙処理装置１が搭載される封書作製装置１００について説明する。
図１に示すように、封書作製装置１００は、完成品である封書に封入される内容物Ｐや封筒フォームＰＥに対して所定の印刷処理を施す印刷ユニット（印刷装置）１１０と、印刷ユニット１１０で所定の印刷処理が施された内容物Ｐや封筒フォームＰＥに必要な折りを施した後に封筒フォームＰＥで内容物Ｐを包み込むように封入し封緘して封書を作製する封入封緘ユニット１２０（封入封緘装置）とで構成されている。
【００１２】
なお、本例の「内容物Ｐ」は、封入封緘ユニット１２０において用紙を搬送しながら所定の折りを施された用紙（以下、「折り済用紙ＰＡ」という）と、折りを施さない用紙（例えば返信用はがきや招待カードのようなものが該当し、以下、「未折り用紙ＰＢ」という）の２種類の異種用紙で構成される異種用紙束であり、封筒フォームＰＥに包み込むように同封されるものとする。また、内容物Ｐは、折り済用紙ＰＡと未折り用紙ＰＢとの組合せで構成されるが、少なくとも封筒に封入される一組の内容物Ｐの中にこの２種類が混在していればよく、各用紙の枚数は装置の仕様や作製する封書に応じて適宜変更することができる。
【００１３】
＜印刷ユニットについて＞
印刷ユニット１１０は、封筒フォームＰＥや内容物Ｐに所定の印刷処理を施して後段の封入封緘ユニット１２０に排出する装置である。
詳述すると、装置筐体の内部や側面等に複数種類の用紙（内容物Ｐとなる枚葉状の用紙Ｐ１〜Ｐ３や封筒フォームＰＥ）を所定のタイミングで各用紙を給紙する給紙部１１１と、導入路１１２からの用紙を搬送するループ状の搬送経路１１３、シアン（Ｃ）、マゼンタ（Ｍ）、イエロー（Ｙ）、ブラック（Ｋ）の各色のインクをそれぞれ吐出する４つのインクジェットヘッドＣ、Ｋ、Ｍ、Ｙからなる印刷手段１１４と、用紙を封入封緘ユニット１２０に排出する第１の排出路１１５と、用紙をループ外に排出する第２の排出路１１６と、搬送経路１１３を搬送されてきた用紙を受け入れた後に逆行させて搬送経路１１３に戻して用紙の上下を反転させるスイッチバック路１１７と、を備えている。
【００１４】
＜封入封緘ユニットについて＞
封入封緘ユニット１２０は、封筒フォームＰＥ及び内容物Ｐに対して必要な折りを施して封筒フォームＰＥで内容物Ｐを包み込むように封入封緘処理をして封書を作製する装置である。なお、本形態例では封筒フォームＰＥを第一折り位置及び第二折り位置で二回折りを施して三つ折りにして内容物Ｐを包み込むように収容する装置であるが、封筒フォームＰＥの折り回数や折り方に関しては作製する完成物の形状や用途に応じて種々の形態があるため特に限定はされない。
【００１５】
詳述すると、折り済用紙ＰＡとなる用紙を搬送しながら必要に応じて所定の折りを施す用紙折り部１２１と、封筒となる封筒フォームＰＥを搬送しながら必要に応じて所定の折りを施す封筒フォーム折り部１２２と、未折り用紙供給部１２３ａから供給される未折り用紙ＰＢを搬送する未折り用紙搬送部１２３と、用紙折り部１２１で折りが施された折り済用紙ＰＡと未折り用紙搬送部１２３から搬送された未折り用紙ＰＢとにおける搬送方向後端を揃える異種用紙整合部１２４と、搬送方向後端が整合された内容物Ｐを搬送する異種用紙搬送部１２５と、搬送に伴って封筒フォームＰＥの第一折り位置で折り畳みながら内容物Ｐを包み込むように収容する収容部１２６と、収容部１２６で内容物Ｐが収容された状態の封筒フォームＰＥの第二折り位置で折りを施してフラップを形成して封筒フォームＰＥを封筒形状にするフラップ折り部１２７と、フラップの折り位置を位置決めするための待機経路として機能し封筒フォームＰＥに予め転写された再湿糊部分に水を塗布する水塗布処理部１２８と、搬送に伴って水塗布後の封筒を封緘する封緘部１２９と、封緘処理された封書を装置筐体外部まで上昇搬送させた後、排出トレイ１３０ａまで水平に排出搬送する排出部１３０と、を備えている。
【００１６】
また、封書作製装置１００は、例えば封書作製に必要な条件が設定された封書作製ジョブ等の封書作製装置１００を構成する各部を駆動するのに必要な情報を記憶する統括記憶部１４０と、封書作製装置１００を構成する各部の駆動制御を行う統括制御部１５０と、を備えている。
【００１７】
なお、封書作製ジョブには、例えば封書の作製通数、使用する封筒フォームＰＥにより作製される封筒に関する情報である封筒情報（例えば印刷枚数、フォームサイズ、印刷条件（片面印刷／両面印刷）、印刷する印刷画像データ、折り方等の情報）と、内容物Ｐとなる用紙に関する情報である用紙情報（例えば印刷部数、内容物枚数情報、折り済用紙ＰＡとなる用紙の用紙厚さ情報（厚紙（例えば、坪量が１００ｇ／ｍ2 以上）、普通紙（例えば、坪量が５０〜９９ｇ／ｍ2 ）、薄紙（例えば、坪量が４９ｇ／ｍ2 以下）を識別可能な情報）、出力サイズ、印刷条件（片面印刷／両面印刷）、印刷する印刷画像データ、折り方（例えば、内三つ折り、四つ折り、二つ折り等を示す情報）等の情報）等、封書を作製するのに必要な情報が含まれている。
【００１８】
また、封書作製装置１００が封書作製ジョブの入手方法としては、ユーザが使用するＰＣやタブレット端末等の外部端末装置から入手する方法、予め設定した封書作製ジョブを記憶させたＵＳＢメモリ等の補助記憶装置を介して入手する方法、装置本体に各種入力キーやタッチパネル等で構成される設定入力手段を具備させ封書作製ジョブを設定する方法、予め設定した封書作製ジョブを記憶する外部サーバから通信ネットワークを介して入手する方法等がある。
【００１９】
そして、本発明に係る用紙処理装置１は、上述した封書作製装置１００における「用紙折り部１２１」と「未折り用紙搬送部１２３」と「異種用紙整合部１２４」と「異種用紙搬送部１２５」に相当し、異なる形態の用紙で構成される内容物Ｐの搬送方向先端が収容部１２６に到達したときに封筒フォームＰＥによって正常に収容されるように搬送する装置である。
【００２０】
［用紙処理装置について］
＜装置構成について＞
次に、本発明に係る用紙処理装置１について図２〜図６を参照しながら説明する。
図２又は図３に示すように、本例の用紙処理装置１は、用紙折り部１０、未折り用紙搬送部２０、異種用紙整合部３０、異種用紙搬送部４０と、記憶部５０と、制御部６０とで構成される。
【００２１】
なお、上述したように、本例の用紙処理装置１における用紙折り部１０、未折り用紙搬送部２０、異種用紙整合部３０、異種用紙搬送部４０は、それぞれ封入封緘ユニット１２０における用紙折り部１２１、未折り用紙搬送部１２３、異種用紙整合部１２４、異種用紙搬送部１２５に相当するが、以下の説明では各部を用紙処理装置１の構成要件として説明する。
【００２２】
用紙折り部１０は、前段の印刷ユニット１１０から受け入れた折り済用紙ＰＡとなる印刷済みの用紙に対し、規制搬送路１３（第１規制搬送路１３ａ、第２規制搬送路１３ｂ）に沿って搬送しながら所定の折り回数だけ折りを施す折り手段１１と、用紙に所定の折りを施す際に用紙の搬送方向先端（以下、単に「先端」ともいう）と突き当たって折り位置を位置決めする突当手段１２とを備えている。
【００２３】
折り手段１１は、制御部６０の制御により、印刷ユニット１１０で印刷処理された用紙を搬入し、この用紙に対して封書作製ジョブで設定された折りを施すように用紙を規制搬送路１３に沿って挟持搬送して所定の折りを施した後、後段（異種用紙整合部３０）に向けて挟持搬送する。
【００２４】
折り手段１１は、図２に示すように、第１ローラ１１ａ〜第４ローラ１１ｄの各ローラを適宜組み合わせることで複数の搬送ローラ対を構成している。本例では、第１ローラ１１ａと第２ローラ１１ｂとで第１ローラ対を構成し、用紙を搬入して第１折り位置を位置決めするため後述する第１突当部材１２ａに用紙の先端が突き当たるまで第１規制搬送路１３ａに沿って搬送する。また、第２ローラ１１ｂと第３ローラ１１ｃとで第２ローラ対を構成し、第１突当部材１２ａに用紙の先端が突き当たった用紙の第１折り位置で折りを施した後、第２の折り位置を位置決めするため後述する第２突当部材１２ｂに用紙の先端が突き当たるまで第２規制搬送路１３ｂに沿って搬送する。さらに、第３ローラ１１ｃと第４ローラ１１ｄとで第３ローラ対を構成し、位置決めされた第２折り位置で用紙に折りを施した後、後段の異種用紙整合部３０に向けて搬送する。
【００２５】
突当手段１２は、第１規制搬送路１３ａ上に用紙の搬送方向に沿って摺動自在に設けられる板状部材からなり、用紙に対する第１折り位置を位置決めする第１突当部材１２ａと、第２規制搬送路１３ｂ上に用紙の搬送方向に沿って摺動自在に設けられる板状部材からなり、用紙に対する第２折り位置を位置決めする第２突当部材１２ｂとで構成される。
【００２６】
突当手段１２は、折り済用紙ＰＡの搬送方向長さＬ１が同封される他の内容物Ｐの中で最長（すなわち、折り済用紙ＰＡの搬送方向長さＬ１を未折り用紙ＰＢの搬送方向長さＬ２よりも後退見込み長さα以上の長さにすること）となるように、制御部６０からの折り位置可変情報に従い第１突当部材１２ａ及び／又は第２突当部材１２ｂが適宜移動される。
【００２７】
未折り用紙搬送部２０は、用紙折り部１０と別経路で構成され、その経路上に上下一対の搬送ローラが複数設けられている。未折り用紙搬送部２０は、未折り用紙供給部２１から供給された未折り用紙ＰＢを挟持搬送しながら異種用紙整合部３０まで搬送する。本例では、図２に示すように、未折り用紙搬送部２０の搬送経路の終端が用紙折り部１０と合流しており、未折り用紙供給部２１から供給された未折り用紙ＰＢは、用紙折り部１０の第３ローラ対により異種用紙整合部３０まで搬送される。
【００２８】
なお、本例では、装置の省スペース化を図りつつ合理的な用紙搬送を実現するため、未折り用紙搬送部２０の搬送経路の終端を用紙折り部１０と合流させ用紙折り部１０を利用して最終的に異種用紙整合部３０まで搬送しているが、未折り用紙搬送部２０から異種用紙整合部３０に向けて未折り用紙ＰＢが搬送される構成となればよいため、用紙折り部１０と別経路で異種用紙整合部３０に搬送してもよい。
【００２９】
なお、本例の未折り用紙供給部２１は、予め作製した未折り用紙ＰＢをトレイ上に積載しておき封入処理時に順次供給する構成であるが、例えば封書作製装置１００の印刷ユニット１１０で印刷された用紙を一旦溜め込み、封入処理時に規定枚数を順次供給する構成でもよい。また、複数種類の未折り用紙ＰＢに対応させるため、未折り用紙供給部２１を装置内又は装置外に複数設け、各供給部の搬送経路を未折り用紙搬送部２０の途中で合流させた構成としてもよい。
【００３０】
異種用紙整合部３０は、プーリ３１ｃに掛け回され、搬送方向に回動自在な環状ベルト３１ｂのベルト面に対し、搬送方向と直交する方向に沿って突当板３１ａが立設された整合手段３１と、搬入した内容物Ｐの搬送方向後端（以下、単に「後端」という）と当接して揃えるためのエンドフェンス３２と、搬送路上側に昇降可能に設けられた可動ローラと搬送路下側に設けられた固定ローラとで整合した内容物Ｐを後段に向けて挟持搬送する挟持搬送手段３３とを備えている。
【００３１】
異種用紙整合部３０は、内容物Ｐとなる折り済用紙ＰＡや未折り用紙ＰＢが搬入されると、整合手段３１を駆動して突当板３１ａを各用紙の先端と突き当てることで用紙を後退させて用紙の後端をエンドフェンス３２に当接させて整合（後端揃え）する。そして、整合された内容物Ｐは、挟持搬送手段３３によって異種用紙搬送部４０に向けて搬送される。
【００３２】
異種用紙整合部３０における具体的な動作例としては、図４（ａ）に示すように、予め決められた搬送順序に従って内容物Ｐが１枚ずつ搬入される。次に、内容物Ｐが搬入されると、図４（ｂ）に示すように、内容物Ｐの搬入の都度、整合手段３１を搬送方向と逆方向に回動して内容物Ｐの先端に突き当てて内容物Ｐを後退させ、用紙の後端をエンドフェンス３２と当接させて整合する。そして、図４（ｃ）に示すように、封筒に封入される一組の内容物Ｐ全てに対して整合処理が実施されると、突当板３１ａを搬送の邪魔にならない位置（退避位置）まで移動させた後、挟持搬送手段３３によって異種用紙搬送部４０に向けて搬送している。
【００３３】
なお、未折り用紙ＰＢよりも先に折り済用紙ＰＡが搬入すると、折り済み用紙ＰＡの折り位置から用紙片が開放して後から搬入される未折り用紙ＰＢの搬入を妨げる虞があるため、異種用紙整合部３０における内容物Ｐの搬入順序としては、未折り用紙ＰＢを先に搬入して折り済用紙ＰＡが最後に搬入されることが好ましい。しかしながら、折り済用紙ＰＡを先に搬入した場合に、用紙片が開放しないように押さえ付ける用紙押え機構を別途設けることで、未折り用紙ＰＢの搬入の邪魔にならずスムーズに搬入可能となるため、内容物Ｐの搬入順序に関する制約を考慮する必要がなくなる。
【００３４】
異種用紙搬送部４０は、上下一対となる搬送ローラ対が複数設けられ、異種用紙整合部３０から搬送された内容物Ｐを収容部１２６に向けて搬送する。異種用紙搬送部４０では、まず図５（ａ）に示すように内容物Ｐの後端が揃った状態で搬送すると、図５（ｂ）に示すように搬送ローラ対における一方の搬送ローラのローラ面に折り済用紙ＰＡの先端が腹当たりして若干後退する。そして、搬送を繰り返していく中で徐々に折り済用紙ＰＡが後退しながら搬送され、図５（ｃ）に示すように収容部１２６に到達するときには折り済用紙ＰＡの先端と未折り用紙ＰＢの先端とがほぼ揃う。
【００３５】
このように、折り済用紙ＰＡの搬送方向長さＬ１が他の内容物Ｐよりも所定長さ（後退見込み長さα）だけ長くする理由は、異種用紙搬送部４０において内容物Ｐを重ね搬送したときに、折り済用紙ＰＡの先端が搬送ローラのローラ面と腹当たりしながら徐々に後退する作用を利用するためである。従って、異種用紙搬送部４０の搬送路長や搬送ローラ対の数などに基づく後退見込み長さαを設定しておけば、折り済用紙ＰＡと未折り用紙ＰＢとの先端が自然と揃うように調整することが可能となり、内容物Ｐに対する搬送時の位置合わせ制御等を行わずして後段の収容部１２６でスムーズな封入処理を行うことができる。
【００３６】
記憶部５０は、例えばＥＥＰＲＯＭやフラッシュメモリ等の不揮発性メモリやＤＲＡＭやＳＤＲＡＭ等の揮発性メモリを含む各種半導体メモリ、ＨＤＤ等の各種記憶装置で構成され、用紙処理装置１を構成する各部の駆動に必要な駆動制御プログラムを記憶している。
【００３７】
また、記憶部５０は、異種用紙搬送部４０で搬送される内容物Ｐが収容部１２６に到達した時点で折り済用紙ＰＡと未折り用紙ＰＢの各先端がほぼ揃うように折り済用紙ＰＡの搬送方向長さＬ１を未折り用紙ＰＢの搬送方向長さＬ２よりも所定長さ長くするための後退見込み長さαを記憶している。
【００３８】
この後退見込み長さαは、異種用紙整合部３０で整合された内容物Ｐを異種用紙搬送部４０で搬送する際に、折り済用紙ＰＡが搬送ローラのローラ面に腹当たりして後退することが実験等で確認し、この腹当たりを利用して最終的に折り済用紙ＰＡと未折り用紙ＰＢの先端とがほぼ揃うように折り済用紙ＰＡの後退移動量を見込んだ長さである。
【００３９】
後退見込み長さαの数値例としては、使用する内容物Ｐとして折り済用紙ＰＡの搬送方向長さＬ１が「１０５ｍｍ」、未折り用紙ＰＢの搬送方向長さＬ２が「１００ｍｍ」であり、装置構成として異種用紙整合部３０のエンドフェンス３２から異種用紙搬送部４０の終端までの搬送路長Ｌ３が「４２０ｍｍ」の場合、後退見込み長さαが「５ｍｍ」に設定される。このように設定しておけば、異種用紙搬送部４０で内容物Ｐを搬送する最中に折り済用紙ＰＡの先端が搬送ローラのローラ面と腹当たりしながら徐々に後退し、収容部１２６に到達した時点で、少なくとも折り済用紙ＰＡの先端を超えて未折り用紙ＰＢの先端が飛び出すことなく折り済用紙ＰＡと未折り用紙ＰＢの各先端が大凡揃うことになる。
【００４０】
なお、後退見込み長さαは、少なくとも折り済用紙ＰＡの搬送方向長さＬ１と、未折り用紙ＰＢの搬送方向長さＬ２と、異種用紙整合部３０のエンドフェンス３２から異種用紙搬送部４０の終端までの搬送路長Ｌ３とを考慮して予め実験等で導き出される値であり、異種用紙搬送部４０の搬送路長Ｌ３が長くなる程、後退見込み長さαの長さが長くなる傾向にある。
【００４１】
さらに、記憶部５０は、折り済用紙ＰＡの長さを調整するか否かを判断するための折り長さ調整条件を記憶している。折り長さ調整条件とは、異種用紙搬送部４０による搬送の際に折り済用紙ＰＡが搬送ローラのローラ面と腹当たりするような厚さとなる場合に搬送方向長さを調節するか否かの判断を行うための情報である。図６には、折り長さ調整条件をテーブル化した状態の情報を示しており、折り済用紙ＰＡとなる「折形態（用紙の折り方）」と、「紙種（用紙厚さ情報）」と、「重ね枚数」とが関連付けされている。
なお、図６に示した折り長さ調整条件における折形態、紙種、重ね枚数はあくまで一例であり、作製する封書の条件（封入枚数、使用する用紙の厚さ（又は用紙の坪量）やサイズ）によって各数値が適宜変更される。
【００４２】
制御部６０は、例えばＣＰＵ（Central Processing Unit ）やＲＯＭ（Read Only Memory），ＲＡＭ（Random Access Memory）又はこれらの機能を具備するＭＰＵ（Micro-Processing Unit ）等のプロセッサで構成され、記憶部５０に記憶される駆動制御プログラムに従って用紙処理装置１を構成する各部の駆動制御を行っている。
【００４３】
また、制御部６０は、異種用紙搬送部４０で搬送される内容物Ｐが収容部１２６に到達したときに折り済用紙ＰＡの先端よりも未折り用紙ＰＢの先端が飛び出さないように搬送するため、必要に応じて折り済用紙ＰＡの折り位置を可変制御する折り長さ調整手段６１を備えている。
【００４４】
折り長さ調整手段６１は、封書作製ジョブに含まれる折り済用紙ＰＡとなる用紙の用紙厚さ情報及び折り方情報と、折り済用紙ＰＡの搬送方向長さＬ１と、未折り用紙ＰＢの搬送方向長さＬ２と、記憶部５０に記憶される折り長さ調整条件とを照合し、折り済用紙ＰＡの仕様が折り長さ調整条件に示される条件と一致するか否かを判断する。
【００４５】
次に、折り長さ調整手段６１は、折り済用紙ＰＡの仕様が折り長さ調整条件に示される条件と一致したときに、折り済用紙ＰＡの搬送方向長さＬ１から未折り用紙ＰＢの搬送方向長さＬ２を差し引いて得られた差分値が記憶部５０に記憶される後退見込み長さα以上であるか否かを判断し、この差分値が後退見込み長さαに満たないときに差分値が後退見込み長さα以上となる位置で折りが施されるように突当手段１２の突当位置を可変する折り位置可変情報を用紙折り部１０に出力する。
【００４６】
すなわち、折り済用紙ＰＡの搬送方向長さＬ１から未折り用紙ＰＢの搬送方向長さＬ２を差し引いて得た差分値が後退見込み長さαよりも長い場合（Ｌ１−Ｌ２＞α）は用紙折り部１０における現在の折り位置のまま折りを行い、折り済用紙ＰＡの搬送方向長さＬ１から未折り用紙ＰＢの搬送方向長さＬ２を差し引いて得た差分値が後退見込み長さα以下の場合（Ｌ１−Ｌ２≦α）は差分値が後退見込み長さα以上となるように第２突当部材１２ｂの突当位置を可変する折り位置可変情報を用紙折り部１０に出力する。
【００４７】
＜処理動作について＞
次に、上述した用紙処理装置１を封書作製装置１００に搭載して運用した際の処理動作について説明する。ここでは、折り済用紙ＰＡを１枚、未折り用紙ＰＢを２枚の計３枚で内容物Ｐを構成し、用紙折り部１０及び未折り用紙搬送部２０の各経路から順次搬送された内容物Ｐを収容部１２６まで搬送する際の処理動作例である。
【００４８】
まず、封書作製ジョブが開始されると、このジョブ内容から折り済用紙ＰＡの折り位置を可変する必要があるか否かを確認する。このとき、折り済用紙ＰＡの仕様が記憶部５０に記憶された折り長さ調整条件と一致するが、折り済用紙ＰＡの搬送方向長さＬ１から未折り用紙ＰＢの搬送方向長さＬ２を差し引いて得られた差分値が記憶部５０に記憶される後退見込み長さαに満たないときに、差分値が後退見込み長さα以上となるように折り位置可変情報を用紙折り部１０に出力して突当手段１２の突当位置を移動制御する。
【００４９】
次に、用紙折り部１０で所定の折りが施された折り済用紙ＰＡと、未折り用紙搬送部２０から搬送された未折り用紙ＰＢとが異種用紙整合部３０に搬送されると、搬入した用紙毎に整合手段３１が駆動してエンドフェンス３２に突き当てて折り済用紙ＰＡ及び未折り用紙ＰＢの後端が揃えられる。
【００５０】
そして、一組分の内容物Ｐにおける整合処理が終了すると、この後端を整合した状態の内容物Ｐを収容部１２６に向けて重ね搬送する。このとき、折り済用紙ＰＡの先端が異種用紙搬送部４０における搬送ローラのローラ面に腹当たりしながら徐々に後退し、内容物Ｐが収容部１２６に到達した時点で折り済用紙ＰＡと未折り用紙ＰＢの各先端がほぼ揃った状態で搬送される。
【００５１】
以上説明したように、上述した用紙処理装置１は、折り済用紙ＰＡとなる用紙の用紙厚さ情報及び折り方情報と、折り済用紙ＰＡの搬送方向長さＬ１と、未折り用紙ＰＢの搬送方向長さＬ２と、記憶部５０に記憶される折り長さ調整条件とを照合し、折り済用紙ＰＡの仕様が折り長さ調整条件に示される条件と一致し、且つ折り済用紙ＰＡの搬送方向長さＬ１から未折り用紙ＰＢの搬送方向長さＬ２を差し引いて得られた差分値が記憶部５０に記憶される後退見込み長さαに満たないときに、この差分値が後退見込み長さα以上となる位置で折りが施されるように突当手段１２の突当位置を可変する折り位置可変情報を用紙折り部１０に出力する。
【００５２】
また、異種用紙整合部３０では、搬入した用紙毎に整合手段３１を駆動して折り済用紙ＰＡ及び未折り用紙ＰＢの後端をエンドフェンス３２に突き当てて折り済用紙ＰＡ及び未折り用紙ＰＢの後端を揃え、一組分の内容物Ｐにおける整合処理が終了すると、この後端を整合した状態の内容物Ｐを異種用紙搬送部４０で収容部１２６まで重ね搬送する。
【００５３】
これにより、異種用紙搬送部４０により内容物Ｐが搬送される際に、折り済用紙ＰＡの先端が搬送ローラのローラ面に腹当たりしながら徐々に後退し、収容部１２６に到達した時点で折り済用紙ＰＡと未折り用紙ＰＢの各先端がほぼ揃った状態となるため、収容部１２６による封筒フォームＰＥの封入処理を行う際に、内容物Ｐが搬送方向に飛び出すことで生じる封入ズレによる封緘不良を防止することができる。
【００５４】
［その他の実施形態について］
なお、本発明は上記各実施形態に限定されるものではなく、例えば以下に示すように使用環境等に応じて適宜変更して実施することもできる。また、以下の変更例を本発明の要旨を逸脱しない範囲の中で任意に組み合わせて実施することもできる。
【００５５】
また、上述した形態では、異種用紙整合部３０で内容物Ｐの後端を揃える構成で説明したが、必ずしも異種用紙整合部３０で内容物Ｐの後端を揃える必要はない。本発明の目的を達成するためには、異種用紙整合部３０において少なくとも未折り用紙ＰＢの先端を折り済用紙ＰＡの先端よりも後退見込み長さα以上後退させ、収容部１２６に搬送するまでの間に、未折り用紙ＰＢの先端が折り済用紙ＰＡの先端を超えて飛び出さないようにすれば、上記形態と同様の効果を奏することができる。
【００５６】
また、制御部６０から突当手段１２に対して出力される折り位置可変情報は、後退見込み長さαに満たない長さ分だけ折り済用紙ＰＡの搬送方向長さＬ１を長くするために第２突当部材１２ｂを移動させる情報として説明したが、少なくとも後退見込み長さαに満たない長さ分だけ折り済用紙ＰＡの搬送方向長さＬ１を長くすればよいため、例えば折り済用紙ＰＡとなる用紙の印刷内容（印字位置と空白位置との位置関係）を考慮して、第１突当部材１２ａと第２突当部材１２ｂの両方、又は第１突当部材１２ａを移動させるような情報としてもよい。この場合、突当手段１２は、制御部６０からの折り位置可変情報に従って、第１突当部材１２ａと第２突当部材１２ｂの少なくとも一方を適切な位置に可変できる構成となる。
【００５７】
さらに、封書作製装置１００において印刷ユニット１１０となる印刷装置の構成としてインクジェット記録装置を用いた例で説明したが、作製する封書の作製内容に応じて内容物Ｐや封筒フォームＰＥ等に所望の画像形成が可能であればよいため、インクジェット記録装置の他に例えば孔版印刷装置、複写機、レーザプリンタ等の各種画像形成装置を採用してもよい。
【００５８】
また、上述した実施例では、用紙処理装置１に記憶部５０及び制御部６０を具備する構成で説明したが、本装置が搭載される封書作製装置１００の統括記憶部１４０及び統括制御部１５０が、その機能を賄ってもよい。
【符号の説明】
【００５９】
１…用紙処理装置
１０、１２１…用紙折り部
１１…折り手段（１１ａ…第１ローラ、１１ｂ…第２ローラ、１１ｃ…第３ローラ、１１ｄ…第４ローラ）
１２…突当手段（第１突当部材１２ａ、第２突当部材１２ｂ）
１３…規制搬送路（１３ａ…第１規制搬送路、１３ｂ…第２規制搬送路）
２０、１２３…未折り用紙搬送部
３０、１２４…異種用紙整合部
４０、１２５…異種用紙搬送部
５０…記憶部
６０…制御部
１００…封書作製装置
１１０…印刷ユニット（印刷装置）
１２０…封入封緘ユニット（封入封緘装置）
Ｐ…内容物（折りが施される用紙）
ＰＡ…折り済用紙
ＰＢ…未折り用紙
ＰＥ…封筒フォーム
【図１】
2015222318.tif 000003
【図２】
2015222318.tif 000004
【図３】
2015222318.tif 000005
【図４】
2015222318.tif 000006
【図５】
2015222318.tif 000007
【図６】
2015222318.tif 000008
【図７】
2015222318.tif 000009